(57)【要約】【課題】幅広い使用者の足裏に合致させ、運動機能を損なうことなく、身体の重心を整えることができるインソールを提供する。【解決手段】足裏の略全体に当接する底敷本体と、前記底敷本体に積層又は内蔵される芯材と、を具備して構成され、前記芯材が、踵骨近傍からリスフラン関節近傍まで当接し、ショパール関節から前記リスフラン関節までを下方から上方に支持するアーチ状の支持部と、前記踵骨を受ける略椀状の受部と、を具備すること、を特徴とするインソール。【選択図】図１
2020156585.tif 000002
【特許請求の範囲】
【請求項１】
足裏の略全体に当接する底敷本体と、
前記底敷本体に積層又は内蔵される芯材と、
を具備して構成され、
前記芯材が、踵骨近傍からリスフラン関節近傍まで当接し、ショパール関節から前記リスフラン関節までを下方から上方に支持するアーチ状の支持部と、前記踵骨を受ける略椀状の受部と、を具備すること、
を特徴とするインソール。
【請求項２】
前記受部が、前記芯材の踵骨側端縁からリスフラン関節側端縁の方向に２０ｍｍ〜２７ｍｍ離隔した位置で、前記踵骨側端縁から下方に３ｍｍ〜１０ｍｍ窪むよう形成されていること、
を特徴とする請求項１に記載のインソール。
【請求項３】
前記支持部が、前記芯材のリスフラン関節側端縁から踵骨側端縁の方向に２５ｍｍ〜３７ｍｍ離隔した位置で、前記リスフラン関節側端縁から上方に１．４ｍｍ〜３．４ｍｍ隆起するよう形成されていること、
を特徴とする請求項１又は２に記載のインソール。
【請求項４】
前記芯材が、ポリプロピレンで形成されていること、
を特徴とする請求項１〜３のいずれかに記載のインソール。
【発明の詳細な説明】
【技術分野】
【０００１】
本発明は、運動機能を損なうことなく、身体の重心を整えるインソールに関する。
【背景技術】
【０００２】
現代社会では、屋内外に問わず路面及び床面が綺麗に整えられていることから、この上を歩いて生活する人間の足は、指の力が低下することで土踏まずが上方に反り返った縦アーチ状に形成されない傾向にある。
【０００３】
その結果、扁平足が拡大して本来踵の上方に位置すべき身体の重心がつま先側に位置ずれし、また立位姿勢の悪化からガニ股や猫背等を誘発し、スムーズな歩行や種々の運動が困難になるばかりか、腰痛や膝痛の原因にもなっている。
【０００４】
このような状況に対し、足裏を三点で支持することにより身体の重心を安定させるように構成された靴用の中敷きが提案されている（例えば特許文献１参照）。この中敷きでは、第一中足骨種子骨、第五中足骨粗面、及び踵骨の三点を下方から支持することにより身体の重心バランスを安定させることができるとされている。
【先行技術文献】
【特許文献】
【０００５】
【特許文献１】特開２０１３−１５０７９７公報
【発明の概要】
【発明が解決しようとする課題】
【０００６】
しかしながら、上記のような従来の中敷きでは、明確な支持点を設けたとしても、現代人の多くは上述のとおり偏平足気味であるため、足裏に対して中敷きが面全体に当接し、荷重が足裏全体に分散してしまう問題があった。これにより、意図した支持点で身体の重心バランスを安定させることができず、依然として立位姿勢の改善を好適に行うことができなかった。
【０００７】
ここで、従来の中敷きの構造に着目すると、当該中敷きの表面から支持点のみを上方に膨出させることで、足裏を当該支持点で支持する構造となっているため、高低差を上げると足裏と中敷きの当接面積が減少してバランスを損ない、高低差を下げると足裏と中敷きの当接面積が増加して支持点による荷重の支持ができない。確実に高低差の調整を行うことができれば改善できる可能性はあるが、各使用者の足裏全てに合致させることができないのは明らかであって、未だ改善の余地があった。
【０００８】
そこで、本発明の目的は、上記問題に鑑みてなされたものであり、幅広い使用者の足裏に合致させ、足の骨構造及びその本来の動きを考慮して、運動機能を損なうことなく、身体の重心を整えることができるインソールを提供することにある。
【課題を解決するための手段】
【０００９】
上記の課題を解決すべく、本発明は、
足裏の略全体に当接する底敷本体と、
前記底敷本体に積層又は内蔵される芯材と、
を具備して構成され、
前記芯材が、踵骨近傍からリスフラン関節近傍まで当接し、ショパール関節から前記リスフラン関節までを下方から上方に支持するアーチ状の支持部と、前記踵骨を受ける略椀状の受部と、を具備すること、
を特徴とするインソール、を提供する。
【００１０】
このような構成を有する本発明のインソールでは、芯材の受部により踵骨を下方に引いて受けつつ、支持部によりショパール関節からリスフラン関節間を上方に押し上げて支持することにより、幅広い使用者の足裏に合致し、足元に前方から後方に対する支持力を発生させる。これによって、立位姿勢時に身体荷重がつま先側に偏ることを防止し、自然に踵荷重の姿勢を取らせて身体の重心線を踵の上方に整えることができる。また、芯材は踵骨近傍からリスフラン関節近傍までに当接することから、前後及び左右の動きを含むリスフラン関節の本来の動きを抑制せず、中足骨から前方の骨を使用者の運動に応じて適切に動作させることができる。即ち、運動機能を損なうことなく、身体の重心を整えることができる。
【００１１】
また、上記の本発明のインソールにおいては、
前記受部は、前記芯材の踵骨側端縁からリスフラン関節側端縁の方向に２０ｍｍ〜２７ｍｍ離隔した位置で、前記踵骨側端縁から下方に３ｍｍ〜１０ｍｍ窪むよう形成されていることが望ましい。
【００１２】
また、上記の本発明のインソールにおいては、
前記支持部は、前記芯材のリスフラン関節側端縁から踵骨側端縁の方向に２５ｍｍ〜３７ｍｍ離隔した位置で、前記リスフラン関節側端縁から上方に１．４ｍｍ〜３．４ｍｍ隆起するよう形成されていることが望ましい。
【００１３】
また、上記の本発明のインソールにおいては、前記芯材は、ポリプロピレンで形成されることが望ましい。
【００１４】
このような構成を有する本発明のインソールでは、芯材が適度な硬度及び柔軟性を有して略板バネ的な弾性を発揮し、踵骨を適切な位置で柔軟に受けつつショパール関節からリスフラン関節間を適切に支持することができる。
【発明の効果】
【００１５】
本発明により、幅広い使用者の足裏に合致させ、運動機能を損なうことなく、身体の重心を整えることができるインソールを提供することができる。
【図面の簡単な説明】
【００１６】
【図１】本実施径形態に係るインソール１の概要を示す図であって、図１（ａ）は、インソール１の平面図であり、図１（ｂ）は、インソール１の側面図である。
【図２】芯材５と足を構成する骨を並べて平面視した模式図である。
【図３】芯材５と足を構成する骨を並べて側面視した模式図である。
【図４】底敷本体３の構造を示す図であって、図４（ａ）は、底敷本体３の平面図であり、図４（ｂ）は、底敷本体３の側面図である。
【図５】芯材５の構造を説明する図であって、図５（ａ）は、芯材５の平面図であり、図５（ｂ）は、図５（ａ）における矢視Ａの断面図である。
【図６】芯材５の構造を示す図であって、図６（ａ）は、図５（ａ）における矢視Ｂの断面図であり、図６（ｂ）は、図５（ａ）における矢視Ｃの断面図である。
【図７】本実施形態に係るインソール１を使用した状態における幅方向Ｙの断面模式図である。
【発明を実施するための形態】
【００１７】
以下、図面を参照しながら、本発明に係るインソールの代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１８】
１．インソール１の概要
図１を用いて、本実施形態に係るインソール１の概要について説明する。図１は、本実施径形態に係るインソール１の概要を示す図であって、図１（ａ）は、インソール１の平面図であり、図１（ｂ）は、インソール１の側面図である。図１（ａ）及び（ｂ）に示すとおり、本実施形態に係るインソール１は、略足裏の平面形状に合わせた中敷きであって、靴の内部に敷設して靴内底面と足裏との間に位置させることにより、使用者の姿勢を適切に矯正するものである。より具体的には、靴にインソール１を敷設することにより、幅広い使用者の足裏に合致し、立位姿勢時において踵荷重にしつつ左右及び後方へのふらつきを好適に抑制し、スムーズに歩行させることができるものである。
【００１９】
なお、本実施形態では理解容易を図るため、長さ方向をＸ（後方はＸ１、前方はＸ２）、幅方向をＹ（親指側はＹ１、小指側はＹ２）、高さ方向をＺ（上方はＺ１、下方はＺ２）として方向を定義する。
【００２０】
２．インソール１の構造
次に、図１〜図３を用いて、本実施形態に係るインソール１の構造について説明する。図２は、芯材５と足を構成する骨を並べて平面視した模式図であり、図３は、芯材５と足を構成する骨を並べて側面視した模式図である。
【００２１】
本実施形態に係るインソール１は、足裏の略全体に当接する底敷本体３と、底敷本体３に積層又は内部に挿入される芯材５と、を具備して構成され、芯材５が、踵骨３１近傍からリスフラン関節３３近傍まで当接する長さを有し、ショパール関節３５からリスフラン関節３３間を下方から上方に支持するアーチ状の支持部７と、踵骨３１を受ける略椀状の受部９と、を具備すること、を特徴とする。以下、底敷本体３と芯材５の構造について詳述する。
【００２２】
＜底敷本体３＞
図４を用いて底敷本体３の構造について詳細に説明する。図４は、底敷本体３の構造を示す図であって、図４（ａ）は、底敷本体３の平面図であり、図４（ｂ）は、底敷本体３の側面図である。
【００２３】
図４（ａ）及び（ｂ）に示すとおり、底敷本体３はインソール１の本体部であって、使用者の足裏の略全体に当接する部品である。使用する靴内部の底面又は使用者の足裏にあわせた平面形状を有し、普段の生活やスポーツ等、用途に応じて厚さ寸法を決定すればよい。用いる材料としては、表層に天然皮革、合成皮革、又はポリエステル等の樹脂繊維で織った生地を用い、中間層にＥＰＰ、ＥＶＡ、又はウレタンフォーム等の弾性を有する材料を用い、これらを積層して所定の厚さに構成することが好ましい。本実施形態では、積層構成した底敷本体３内部に後述する芯材５を挿入（底敷本体３と積層して構成してもよい。）することによりインソール１を構成している。
【００２４】
＜芯材５＞
続いて、図２〜図３及び図５〜図６を用いて芯材５の構造について詳細に説明する。図５は、芯材５の構造を説明する図であって、図５（ａ）は、芯材５の平面図であり、図５（ｂ）は、図５（ａ）における矢視Ａの断面図である。また、図６は、芯材５の構造を示す図であって、図６（ａ）は、図５（ａ）における矢視Ｂの断面図であり、図６（ｂ）は、図５（ａ）における矢視Ｃの断面図である。
【００２５】
上述のとおり、芯材５は、踵骨３１近傍からリスフラン関節３３近傍まで当接する長さを有し、ショパール関節３５からリスフラン関節３３間を下方Ｚ２から上方Ｚ１に支持するアーチ状（上方に湾曲する凸状）の支持部７と、踵骨３１を受ける略椀状（下方に湾曲する凹状）の受部９と、を具備することを特徴とする略扁平状の部品であって、使用者の足裏の所定の領域のみに当接するものである（特に図２及び図３参照）。
【００２６】
芯材５では、受部９が、芯材５の踵骨側端縁３７からリスフラン関節側端縁３９の方向に２０ｍｍ〜２７ｍｍ離隔（寸法Ｗ１）した位置で、踵骨側端縁３７から下方に３ｍｍ〜１０ｍｍ窪む（寸法Ｈ１）よう形成されており、支持部７が、芯材５のリスフラン関節側端縁３９から踵骨側端縁３７の方向に２５ｍｍ〜３７ｍｍ離隔（寸法Ｗ２）した位置で、リスフラン関節側端縁３９から上方に１．４ｍｍ〜３．４ｍｍ隆起（寸法Ｈ２）するよう形成されている（特に図５（ａ）および（ｂ）参照９）。
【００２７】
図２及び図５（ａ）に示すとおり、芯材５の平面形状は、踵骨３１近傍からリスフラン関節３３近傍までの足裏の領域に当接し、踵骨側端縁３７は、靴内部における踵側の形状又は踵骨３１の後端側の形状にあわせて略弧状に形成されている。これにより、前後及び左右の動きを含むリスフラン関節本来の動きを抑制することなく、足裏を指示できる。また、リスフラン関節側端縁３９は、内側楔状骨４１、中間楔状骨４３、外側楔状骨４５、及び立方骨４７の中足骨４９側端縁に沿って形成されている。
【００２８】
受部９は、上述したとおり下方Ｚ２に窪んだ略椀状であり、使用者の踵骨３１を受ける部位である。また、支持部７は、上方Ｚ１に隆起・湾曲した略アーチ状であり、使用者のショパール関節３５からリスフラン関節３３間を下方Ｚ２から上方Ｚ１に支持する部位である。双方は高さ方向Ｚにおいて逆方向に膨出するものであるが、一枚の芯材５内で連続して形成されるため、境界近傍はなだらかな傾斜によって双方がつながっており、これらによって芯材５が三次元に形成されている。
【００２９】
芯材５は、ポリプロピレン等の樹脂を用いて１．５ｍｍ〜３．５ｍｍ、好ましくは２．３ｍｍ〜２．４ｍｍの厚さで形成することが望ましく、適度な硬度及び柔軟性を付与することで、使用者の足裏に対して略板バネ的な効果を奏し、また、踵骨３１を確実に包むように受けつつ、ショパール関節３５からリスフラン関節３３間を確実に支持することができる。
【００３０】
なお、図６（ｂ）に示すとおり、支持部７は親指側Ｙ１に偏心しており、小指側Ｙ２に向って徐々に下降傾斜している。これは、内側楔状骨４１、中間楔状骨４３、外側楔状骨４５、及び立方骨４７の底面側の形状に沿わせた傾斜であり、これによってショパール関節３５からリスフラン関節３３間を面で支持することができる。
【００３１】
芯材５の底面には、受部９の位置を中心とした略円形状の平滑部１０が形成されている。当該平滑部１０は、インソール１を靴内に挿入した際に靴底と当接して安定させ、使用者の体勢を安定させることができる。より具体的には、インソール１と踵骨３１との接点が幅方向Ｙに変化した際に、同方向に対する略テコの作用の発現を防止し、使用者の立位姿勢安定性を向上することができる。なお、平滑部１０の直径は１０ｍｍ〜２０ｍｍの範囲、より好ましくは１５ｍｍ〜２０ｍｍの範囲とすることが望ましい。
【００３２】
＜インソール１の形成＞
上述した底敷本体３の所定の部位に芯材５を内蔵乃至は挿入することにより、インソール１を形成する。図１に示すとおり、底敷本体３の踵骨側Ｘ１に芯材５を配置し、積層構成した底敷本体３内部に挿入する。芯材５の端縁は、底敷本体３の端縁から所定のクリアランスＷ３を設けて配置することが望ましく、具体的なクリアランスＷ３の寸法は、５ｍｍ〜１１ｍｍの範囲とすることが好ましい。
【００３３】
底敷本体３に対して芯材５の幅を狭める等、寸法を調整し底敷本体３の端縁と芯材５の端縁の間に上記クリアランスＷ３を設けることによって、靴内部に敷設したインソール１に対して適切な位置に足を当接することができる。また、踵骨１の下方部分のみを確実に受けるため、特に幅方向Ｙに対する身体の重心ぶれを好適に抑制し（幅方向Ｙに対する略テコの作用の発現を防止する）、使用者の姿勢を安定させることができる。
【００３４】
なお、底敷本体３と芯材５の接着は、種々の接着剤、溶着、又は圧着等を用いることができる。また、本実施形態では芯材５を底敷本体３内部に挿入してインソール１を形成する例を代表して説明したが、底敷本体３の表面又は裏面に直接積層したり、底敷本体３の一部を切欠き、芯材５を嵌め込むことによってインソール１を構成してもよい。
【００３５】
３．インソール１の効果
次に、図７を用いて本実施形態に係るインソール１の効果について詳細に説明する。図７は、本実施形態に係るインソール１を使用した状態における幅方向Ｙの断面模式図である。図７に示すとおり、インソール１を敷設した靴を装着した際、インソール１は使用者の足裏の略全面に当接し、底敷本体３の内部に配置された芯材５は踵骨３１近傍からショパール関節３３近傍までに当接した状態となる。
【００３６】
芯材５の受部９により踵骨３１を下方Ｚ２に引いて受けつつ、支持部７によりショパール関節３５からリスフラン関節３３間を上方Ｚ１に押し上げて支持することにより、幅広い使用者の足裏に合致させることができ、足元に前方Ｘ２から後方Ｘ１に対する支持力Ｐを発生させる。これによって、立位姿勢時に身体荷重がつま先側に偏ることを防止し、使用者は自然に踵荷重の姿勢を取って身体の重心線を踵の上方に整えることができる。
【００３７】
上述したとおり、芯材５は踵骨３１近傍からリスフラン関節３３近傍まで当接することから、リスフラン関節３３の動きは抑制されず、中足骨４９から前方の骨が使用者の運動に応じて適切に動作することができるため（関節運動全般に加え、長さ方向Ｘに対する略テコの作用の発現を防止することができる。）、本実施形態に係るインソール１は、身体の運動機能を制限することなく、身体の重心を踵上方に整えることを可能とするものである。
【００３８】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【符号の説明】
【００３９】
１        インソール
３        底敷本体
５        芯材
７        支持部
９        受部
１０      平滑部
３１      踵骨
３３      リスフラン関節
３５      ショパール関節
３７      踵骨側端縁
３９      リスフラン関節側端縁
４１      内側楔状骨
４３      中間楔状骨
４５      外側楔状骨
４７      立方骨
４９      中足骨
Ｗ１      寸法
Ｗ２      寸法
Ｗ３      クリアランス
Ｈ１      寸法
Ｈ２      寸法
Ｐ        支持力
【図１】
2020156585.tif 000003
【図２】
2020156585.tif 000004
【図３】
2020156585.tif 000005
【図４】
2020156585.tif 000006
【図５】
2020156585.tif 000007
【図６】
2020156585.tif 000008
【図７】
2020156585.tif 000009
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
足裏の略全体に当接する底敷本体と、
前記底敷本体に積層又は内蔵される芯材と、
を具備して構成され、
前記芯材が、踵骨近傍からリスフラン関節近傍まで当接し、ショパール関節から前記リスフラン関節までを下方から上方に支持するアーチ状の支持部と、前記踵骨を受ける略椀状の受部と、を具備し、
前記受部は、前記芯材の踵骨側端縁から下方に窪んで前記踵骨の後端側の形状にあわせて略弧状に形成されていること、
を特徴とするインソール。
【請求項２】
前記受部が、前記芯材の踵骨側端縁からリスフラン関節側端縁の方向に２０ｍｍ〜２７ｍｍ離隔した位置で、前記踵骨側端縁から下方に３ｍｍ〜１０ｍｍ窪むよう形成されていること、
を特徴とする請求項１に記載のインソール。
【請求項３】
前記支持部が、前記芯材のリスフラン関節側端縁から踵骨側端縁の方向に２５ｍｍ〜３７ｍｍ離隔した位置で、前記リスフラン関節側端縁から上方に１．４ｍｍ〜３．４ｍｍ隆起するよう形成されていること、
を特徴とする請求項１又は２に記載のインソール。
【請求項４】
前記芯材が、ポリプロピレンで形成されていること、
を特徴とする請求項１〜３のいずれかに記載のインソール。